(57)【要約】      （修正有）【課題】開きドアをドア枠内に容易に設定することを可能とする新たなドア枢軸装置の提供。【解決手段】開きドアＤの内部に設定されて該ドアの枢軸線Ｐを画定するためのドア枢軸装置であって、ドア枠Ｆの軸穴に挿入される枢軸１４と、該ドアＤの内部で該枢軸１４の軸線に対して側方に延びて該枢軸から離れた枢着位置で該ドアに枢着されて、該枢軸を、該ドアから突出して軸穴に挿入可能とされる突出位置と、該突出位置よりもドア内に引き込まれた引込位置との間で変位可能に支持する支持部材１８とを有するドア枢軸装置。【選択図】図１
2018119330.tif 000002
【特許請求の範囲】
【請求項１】
開きドアの内部に設定されて該ドアの枢軸線を画定するためのドア枢軸装置であって、
ドア枠の軸穴に挿入される枢軸と、
該ドアの内部で該枢軸の軸線に対して側方に延びて該枢軸から離れた枢着位置で該ドアに枢着されて、該枢軸を、該ドアから突出して軸穴に挿入可能とされる突出位置と、該突出位置よりもドア内に引き込まれた引込位置との間で変位可能に支持する支持部材と
を有するドア枢軸装置。
【請求項２】
該ドアの内部に固定され、該支持部材を該枢着位置で枢動可能に支持して該枢軸を該突出位置と該引込位置との間で変位可能とするベース部材を更に有する請求項１に記載のドア枢軸装置。
【請求項３】
該ベース部材が、該支持部材を該枢着位置で枢動可能に支持する枢着部および該枢着部から該枢軸に向けて延びるベース本体を有し、
該ベース本体が、該枢着部と該枢軸との間において当該ベース本体を横断方向に水平方向で延びる軸線を有する固定軸入れ孔を有し、該支持部材が該突出位置とされたときに該固定軸入れ孔に固定軸を受け入れて該固定軸が該支持部材に係合して該支持部材を該突出位置に固定するようにした請求項２に記載のドア枢軸装置。
【請求項４】
該固定軸が、該支持部材の該枢軸が突出する方向とは反対の側の表面に係合して、該支持部材を該突出位置に固定するようにした請求項３に記載の枢動装置。
【請求項５】
該枢着位置と該枢軸との間の位置で、該支持部材に挿通されて該ベース本体のネジ穴にネジ係合された支持部材位置調節ネジであって、該支持部材位置調節ネジをその軸線の周りで回すことにより、該支持部材を該突出位置とする軸線方向第１位置と該引込位置とする軸線方向第２位置の間で変位可能とされた支持部材位置調節ネジを更に備える請求項２乃至４のいずれかに記載のドア枢軸装置。
【請求項６】
該支持部材位置調節ネジに該支持部材を挟んで軸線方向で離されて固定された第１及第２係合部材を有し、該支持部材位置調節ネジが該軸方向第１位置にあるときには該支持部材の該枢軸が突出する方向の側とは反対側にある該第１及び第２係合部材のいずれか一方が、該支持部材の該枢軸が突出する方向とは反対側の表面に係合して該支持部材を該突出位置に押圧し、該軸方向第２位置にあるときには当該第１及び第２係合部材が該支持部材の該枢軸が突出する方向の側の表面と、その反対側の表面とにそれぞれ係合可能されるようになされている請求項５に記載のドア枢軸装置。
【請求項７】
該第１係合部材が、該支持部材の該枢軸が突出する側において該支持部材位置調節ネジの軸部に固定されたリングとされ、
該第２係合部材が、該支持部材の該枢軸が突出する側とは反対側に位置する該支持部材位置調節ネジのネジ頭部とされ、
該ネジ頭部が、該支持部材位置調節ネジの周りに設定され該支持部材に面する球面状に突出する球面状凸面を有するワッシャを介して該支持部材に係合するようにされており、
該支持部材が、該支持部材の該ネジ頭部に面する側の表面に形成され該ワッシャを受け入れて係合する球面状凹面を有するようにされている請求項２乃至６のいずれか一項に記載のドア枢軸装置。
【請求項８】
該球面状凸部は一定の曲率半径を有しており、該球面状凹部は支持部材が該引込位置にあるときに該球面状凸部と係合する該球面状凸部と同じ曲率半径を有する第１の球面状部分と、該支持部材が該突出位置にあるときに該球面状凸部と係合する該球面状凸部と同じ曲率半径を有する第２の球面状部分とを有する請求項７に記載のドア枢軸装置。
【請求項９】
該第１係合部材が、該支持部材の該枢軸が突出する側に位置する該支持部材位置調節ネジのネジ頭部とされ、
該第２係合部材が、該支持部材の該枢軸が突出する側とは反対側において該支持部材位置調節ネジの軸部に固定されたリングとされている請求項２乃至６のいずれか一項に記載のドア枢軸装置。
【請求項１０】
当該ドア枢軸装置がドアの上部枢軸装置と上下方向で整合して設定される下部枢軸装置とされ、
該支持部材が該突出位置とされて該枢軸が該ドアの下縁から下方に突出されてドア枠下縁の軸穴に嵌合設定された状態で、該枢軸が該ドアをその下縁が該ドア枠下縁から離れた上方位置とするよう構成されている請求項1乃至９のいずれか一方に記載のドア枢軸装置。
【請求項１１】
ドア枠内に設定されたドアが閉位置から開位置に枢動されたときに該ドアを閉位置に戻す円筒状のドアクローザを更に備え、該ドアクローザが該枢軸と同軸状にされている請求項１乃至１０のいずれか一項に記載のドア枢軸装置。
【請求項１２】
請求項１乃至１１のいずれか一項に記載のドア枢軸装置を備える開きドア。
【発明の詳細な説明】
【技術分野】
【０００１】
本発明は、ドア枠に対してドアを枢動可能に設定するために当該ドアの上部及び下部に取り付けられるドア枢軸装置及びそれを備える開きドア（枢動式ドア）に関する。
【背景技術】
【０００２】
上部及び下部ドア枢軸装置は、通常、それらが取り付けられたドアからそれぞれ上方及び下方に突出する上部枢軸及び下部枢軸を、ドア枠の上縁部及び下縁部に設けられた上部及び下部軸穴に挿入して当該ドアをドア枠に対して枢動可能とする。
【０００３】
上部及び下部ドア枢軸装置の上部及び下部枢軸は、それらがドアから上方及び下方に突出した状態ではそれら両枢軸先端間の上下方向幅がドア枠開口の上下方向幅より大きくなるためにそのままの状態ではドア枠内に設定することはできないため、当該ドアをドア枠内に設定するには様々な工夫がなされている。
【０００４】
例えば、ドアをドア枠内に取り付けるときには、上部枢軸をドア内部に押し込んでおき、下部枢軸をドア枠の下部軸穴に挿入するようにして該ドアをドア枠内に収めてから当該上部枢軸を上方に突出させて上部軸穴に挿入するようにしたものがある（特許文献１及び２）。
【０００５】
これに対して、下部軸穴を備える軸支持部材をドア枠側に可動に取り付けておき、ドアをドア枠に収めるときには、軸支持部材をドアの下部枢軸の邪魔にならない下方位置とし、ドアがドア枠内に収められたときに該軸支持部材を動かして下部枢軸を下部軸穴内に収納するようにしたものがある（特許文献３）
【先行技術文献】
【特許文献】
【０００６】
【特許文献１】特開２０００−１９２７１９号公報
【特許文献２】特開２０１１−２１４２４５号公報
【特許文献３】実公昭５８−５４５３６号公報
【発明の概要】
【発明が解決しようとする課題】
【０００７】
本発明は、開きドアをドア枠内に容易に設定することを可能とする新たなドア枢軸装置を提供することを目的としている。
【課題を解決するための手段】
【０００８】
すなわち、本発明は、
開きドアの内部に設定されて該ドアの枢軸線を画定するためのドア枢軸装置であって、
ドア枠の軸穴に挿入される枢軸と、
該ドアの内部で該枢軸の軸線に対して側方に延びて該枢軸から離れた枢着位置で該ドアに枢着されて、該枢軸を、該ドアから突出して軸穴に挿入可能とされる突出位置と、該突出位置よりもドア内に引き込まれた引込位置との間で変位可能に支持する支持部材と
を有するドア枢軸装置を提供する。
【０００９】
このドア枢軸装置は、ドア枢軸装置自体をドア内部で枢動可能として、枢軸を突出位置と引込位置との間で変位可能となるようにすることにより、ドアをドア枠内に収めるときに枢軸をドア設定の邪魔にならない引込位置にすることができるようにしたことを特徴とするものである。
【００１０】
具体的には、このドア枢軸装置は、該ドアの内部に固定され、該支持部材を該枢着位置で枢動可能に支持して該枢軸を該突出位置と該引込位置との間で変位可能とするベース部材を更に有するようにすることができる。支持部材を直接ドアに枢着することも可能であるが、ベース部材を設けることで当該ドア枢軸装置の取付強度を図るものである。
【００１１】
このドア枢軸装置では更に、該ベース部材が、該支持部材を該枢着位置で枢動可能に支持する枢着部および該枢着部から該枢軸に向けて延びるベース本体を有し、
該ベース本体が、該枢着部と該枢軸との間において当該ベース本体を横断方向に水平方向で延びる軸線を有する固定軸入れ孔を有し、該支持部材が該突出位置とされたときに該固定軸入れ孔に固定軸を受け入れて該固定軸が該支持部材に係合して該支持部材を該突出位置に固定するようにすることができる。
【００１２】
この固定軸は、具体的には、該支持部材の枢軸が突出する方向とは反対の側の表面に係合して、該支持部材を該突出位置に固定するようにすることができる。
【００１３】
更に、該枢着位置と該枢軸との間の位置で、該支持部材に挿通されて該ベース本体のネジ穴にネジ係合された支持部材位置調節ネジであって、該支持部材位置調節ネジをその軸線の周りで回すことにより、該支持部材を該突出位置とする軸線方向第１位置と該引込位置とする軸線方向第２位置の間で変位可能とされた支持部材位置調節ネジを備えるようにすることができる。
【００１４】
また、該支持部材位置調節ネジに該支持部材を挟んで軸線方向で離されて固定された第１及第２係合部材を有し、該支持部材位置調節ネジが該軸方向第１位置にあるときには該支持部材の該枢軸が突出する方向の側とは反対側にある該第１及び第２係合部材のいずれか一方が、該支持部材の該枢軸が突出する方向とは反対側の表面に係合して該支持部材を該突出位置に押圧し、該軸方向第２位置にあるときには当該第１及び第２係合部材が該支持部材の該枢軸が突出する方向の側の表面と、その反対側の表面とにそれぞれ係合可能されるようにすることができる。
【００１５】
より具体的には、
該第１係合部材が、該支持部材の該枢軸が突出する側において該支持部材位置調節ネジの軸部に固定されたリングとされ、
該第２係合部材が、該支持部材の該枢軸が突出する側とは反対側に位置する該支持部材位置調節ネジのネジ頭部とされ、
該ネジ頭部が、該支持部材位置調節ネジの周りに設定され該支持部材に面する球面状に突出する球面状凸面を有するワッシャを介して該支持部材に係合するようにされており、
該支持部材が、該ネジ頭部に面する側の表面に形成され該ワッシャを受け入れて係合する球面状凹面を有するようにすることができる。
【００１６】
この場合、該球面状凸部は一定の曲率半径を有し、該球面状凹部は支持部材が該引込位置にあるときに該球面状凸部と係合する該球面状凸部と同じ曲率半径を有する第１の球面状部分と、該支持部材が該突出位置にあるときに該球面状凸部と係合する該球面状凸部と同じ曲率半径を有する第２の球面状部分とを有するようにすることができる。
【００１７】
また、別の具体例では、
該第１係合部材が、該支持部材の該枢軸が突出する側に位置する該支持部材位置調節ネジのネジ頭部とされ、
該第２係合部材が、該支持部材の該枢軸が突出する側とは反対側において該支持部材位置調節ネジの軸部に固定されたリングとされるようにすることができる。
【００１８】
以上のドア枢軸装置をドアの上部枢軸装置と上下方向で整合して設定される下部枢軸装置とし、
該支持部材が該突出位置とされて該枢軸が該ドアの下縁から下方に突出されてドア枠下縁の軸穴に嵌合設定された状態で、該枢軸が該ドアをその下縁が該ドア枠下縁から離れた上方位置とするよう構成することができる。
【００１９】
また以上の枢動装置が更に、ドア枠内に設定されたドアが閉位置から開位置に枢動されたときに該ドアを閉位置に戻す、該枢軸と同軸状にされている円筒状のドアクローザを備えるようにすることができる。
【００２０】
本発明は更に、上述のドア枢軸装置を備える開きドアを提供する。
【００２１】
以下、本発明に係るドア枢軸装置及びそれを備える開きドアの実施形態を添付図面に基づき説明する。
【図面の簡単な説明】
【００２２】
【図１】図1は、本発明の第1の実施形態に係るドア枢軸装置を下部ドア枢軸装置として設定したドアを、当該ドア枢軸装置を傾斜させた状態でドア枠内に収めた状態を示す図である。当該ドア枢軸装置はドア内部に取り付けられているが、その構成を明瞭に示すために実線で示し、かつその要部を断面で示してある。
【図２】図２は、図1のドア枢軸装置を垂直にして、枢軸をドア枠の下縁部に設けた軸受部の軸穴に嵌合した状態を示す図1と同様の図であり、上部ドア枢軸装置及びその関連部分は省略して示してある。
【図３】図３は、支持部材に固定される補強部材及び該補強部材に形成される球面状凹部に係合されるワッシャを示す図であり、補強部材は断面図として、ワッシャは側面図として示している。
【図４】図４は、本発明の第２の実施形態に係るドア枢軸装置を取り付けたドアを示す、図１と同様の図である。ただし、上部軸受装置及びその関連部分は省略して示してある。
【図５】図５は、図４のドア枢軸装置を垂直にして、枢軸をドア枠の下縁部に設けた軸受部の軸穴に嵌合した状態を示す図２と同様の図である。
【発明を実施するための形態】
【００２３】
図１及び図２は、本発明の第1の実施形態に係るドア枢軸装置１０を下部ドア枢軸装置として装着されたドアＤを示している。下部ドア枢軸装置１０は上部ドア枢軸装置１２とともにドア内部に設定され、当該ドアＤをドア枠Ｆに対して垂直な枢軸線Ｐの周りで枢動可能に支持する。上部ドア枢軸装置１２は、下部ドア枢軸装置１０とともに枢軸線Ｐを画定するものであればどのような形式のものでもよい。
【００２４】
ドア枢軸装置１０は、ドア枠Ｆの下縁部Ｌに設定されている軸受部Ｂの軸穴に下端部分が嵌合固定される枢軸１４と、枢軸１４と同軸状にして取り付けられたドアクローザ１６と、ドアクローザ１６と枢軸１４との間に設定されてドアクローザ１６に固定され枢軸１４の(長手)軸線に対して側方に延びる支持部材１８と、ドアＤの内部に固定され、支持部材１８を枢軸１４の軸線から離れた位置で枢動可能に支持して、枢軸１４をドアＤから下方に突出して軸受部Ｂの軸穴に嵌合可能とする突出位置(図２)と、突出位置よりもドアＤ内に引き込まれた引込位置(図１)との間で変位可能に支持するベース部材２０とを有している。
【００２５】
クローザ１６は、ドアＤが閉位置から開位置に回動されるのに伴いドアＤを閉位置に戻すためのバネ付勢力を蓄勢する周知のものであり、スラストベアリング２４を介して支持部材１８と共に枢軸１４に対してその軸線の周りで回動可能にされた円筒形状のハウジング２６と、枢軸１４に固定されハウジング２６内に同軸状に延びる中心軸２８の周りに設定される図示しないコイルバネとを有しており、ドアＤが閉位置から開位置に回動されると、クローザ１６のハウジング２６が、枢軸１４から延びる中心軸２８の周りで回動し、それによりコイルバネが巻き締められてドアＤを閉位置に戻すバネ付勢力を蓄勢するようになっている。
【００２６】
ベース部材２０は細長い板状部材とされており、ドアＤ内部において該ドアＤに固定されている細長い板状部材Ｄ１に重ねられてビス２０ｃで固定されているベース本体２０ｄと、ベース本体２０ｄの幅方向（図面の紙面に対して垂直方向）両側から上方に延びて支持部材１８を枢動可能とする枢軸３０を支持する枢着部２０ｅ及び枢軸１４に近い位置の幅方向両側から上方に延びる固定部２０ｆとを有する。固定部２０ｆは、支持部材１８が図２に示す枢軸１４がドアＤから下方に突出する突出位置となったときに、固定軸３１を水平に通す固定軸受入れ孔２０ｇを有しており、該孔２０ｇに通された固定軸３１が支持部材１８の上部表面に係合して支持部材１８が図２の突出位置から図１の引込位置に戻るのを阻止するようになっている。固定軸受入れ孔２０gに通した固定軸３１と支持部材１８との間に隙間がある場合は、支持部材位置調節ネジ３２を逆転させて、固定軸３１とリング３２cとの間に支持部材１８挟むようにして該隙間をとることができる。
【００２７】
図示の例では、支持部材１８は、細長い補強部材１８ａが重ねて固定されている。支持部材１８の補強部材１８ａが設けられた位置には当該補強部材１８ａ及び支持部材１８を上下方向で貫通するネジ挿通孔１８ｂが設けられており、支持部材位置調節ネジ３２が通されて、該ネジ３２の先端（下端）がベース部材２０に設けられたネジ穴２０ｈにねじ係合されるようになされている。支持部材位置調節ネジ３２はその上端にネジ頭部３２ａ、軸部３２ｂにリング３２ｃが設けられており、ネジ頭部３２ａはワッシャ３４を介して支持部材１８の補強部材１８ａの上面に係合可能とされている。図示の例では、ワッシャ３４は下方に面する球面状凸面３４ａを有し、支持部材１８の補強部材１８ａの上面に設けられた球面状凹面１８ｃに係合するようにされている。支持部材位置調節ネジ３２は、その軸線の周りで回すことにより、支持部材１８を図２に示す突出位置とする軸線方向第１位置と、図１に示す引込位置とする軸線方向第２位置の間で変位可能とされており、軸線方向第２位置においてはネジ頭部３２ａがワッシャ３４を介してリング３２ｃとの間に支持部材１８を挟着して、支持部材１８がガタつかないようにされている。ネジ挿通孔１８ｂは、支持部材１８の枢動を可能とするためにその長さ方向（図で見て左右方向）で長径の楕円形状横断面を有している。
【００２８】
図３に示されるように、ワッシャ３４は中心に上下方向で貫通しネジ軸部３２ｂを通す軸孔３４ａを有し、球面状凸面３４ａは半径Ｒを有している。これに対し、補強部材１８ａの球面状凹面１８ｃはその中心に上下方向で貫通するネジ挿通孔１８ｂが開口されており、該ネジ挿通孔１８ｂの当該補強部材１８ａの長手方向（図で見て左右方向）両側位置には、それぞれ球面状凸面３４ａと同じ曲率半径Ｒの球面状部分１８ｅ、１８ｆを有するようにされている。球面状凸面３４ａと球面状凹面１８ｃとの形状寸法をこのようにすることにより、支持部材１８が図１に示す引込位置にあるときにはワッシャ３４の球面状凸面３４ａが球面状凹面１８ｃの図で見て右側の球状面部分１８ｅ全体と係合し、図２に示す突出位置にあるときは球面状凹面１８ｃの左側の球面状部分１８ｆ全体と係合するようになり、ワッシャ３４の支持部材１８（の補強部材１８ａ）に対する係合を確実なものとしている。
【００２９】
上述した枢軸装置１０を備えるドアＤをドア枠Ｆ内に設定するときは、支持部材１８を図１に示す引込位置として枢軸１４をドアＤ内に引き込めた状態とし、上部枢軸装置１２の枢軸をドア枠の上縁部の軸穴に嵌合した状態でドアＤ全体をドア枠Ｆ内に収め、その状態で支持部材位置調節ネジ３２を回して支持部材１８を枢動し、枢軸１４がドアＤの下縁部Ｄｌから下方に突出して軸受部Ｂの軸穴に嵌合するようにし、固定軸３１を固定軸受入れ孔２０ｇ内に挿入して、該固定軸３１が支持部材１８の上部表面と係合するようにする。図示の例では、支持部材１８は補強部材１８ａを備えているので、固定軸受入れ孔２０ｇ内に挿入された固定軸３１が支持部材１８の上部面に係合するのを可能とするために該補強部材１８ａには固定軸３１を通するための凹部１８ｄ(図３)が設けられている。
【００３０】
図４及び図５には、図１及び図２に示す枢軸装置１０の変形例に係る枢軸装置４０が示されている。この枢軸装置４０においては、ドアＤの内部に固定されるベース部材４２がドアＤ内部で水平に延びる細長い板状部材Ｄ２の下面に重ねられてビス４０ａなどにより固定される頂板４２ａと該頂板４２ａの幅方向（図で見て紙面に垂直な方向）両側から下方に延びる（図では一方のみが示されている）側板４２ｂからなる横断面が逆Ｕ字状にされている。支持部材４４をベース部材４２に枢着する枢軸４６は側板４２ｂ間に水平方向に延びるように設定されている。支持部材位置調節ネジ４８は、支持部材４４を上下方向で貫通し横断面が当該支持部材４４の長さ方向で長径の楕円形とされているネジ挿通孔５０を上方に延びてベース部材４２の頂板４２ａに設けられたネジ穴にねじ係合されている。支持部材位置調節ネジ４８はその下端にネジ頭部４８ａを有し、軸部にリング５２が固定されており、該ネジ４８を回すことにより、支持部材４４を図５に示す突出位置（枢軸５４をドアＤの下縁部Ｄｌより下方に突出させた位置）と、図４に示す引込位置（枢軸５４を上方に引き込ませた位置）との間で枢動させるようになっている。第１の実施形態における固定軸３１に対応する固定軸５６は、ベース部材４２の側板４２ｂ間を横断方向に水平に延びよう一対設けられており、それぞれ図５の突出位置とされた支持部材４４の上部表面に係合するようになっている。更に、この枢軸装置４２においては、支持部材４４の両側板４２ｂに、固定軸５６を受け入れる固定軸受入れ孔４４ａのほかに追加の固定軸受入れ孔４４ｂが設けられており、該固定軸受入れ孔４４ｂは支持部材４４が図５に示す突出位置とされたときに、該支持部材４４の横断方向で延びる貫通孔５７に軸線方向で整合するようになされており、該整合された固定軸受入れ孔４４ｂ及び貫通孔５７に追加の固定軸５８をとおして、支持部材４４を突出位置に保持するのを補助するようにしてある。図示の例では、側板４２ｂの中央位置には矩形状の凹部６０が形成されており、支持部材位置調節ネジ４８の回転操作をしやすくしている。この枢軸装置４２の実施形態では、頂板４２ａ及び側板４２ｂからなる逆Ｕ字状部材が図１乃至図３に示した第１の実施形態におけるベース本体に対応し、第１の実施形態における枢着部に対応する部分は側板４２ｂの一部として形成されている。
【００３１】
上述の第１及び第２の実施形態に係るドア枢軸装置１０、４０では、当該ドアＤがドア枠Ｆ内に収められて枢軸１４，５４がドア枠Ｆの下縁部Ｌにある軸穴に嵌合されて当該ドアＤがドア枠Ｆ内に最終的に設定されたときに、枢軸１４、５４がドアＤをドア枠Ｆの下縁部Ｌから持上げた状態となるようにされている。
【００３２】
以上、本発明の実施形態につき説明したが、本発明はこれらに限定されるものではなく種々の変更が可能である。例えば、ベース部材は支持部材をドアに枢動可能に支持するものであればよく、どのような形状のものでもよい。
【符号の説明】
【００３３】
軸受部Ｂ；ドアＤ；ドアＤの下縁部Ｄｌ；細長い板状部材Ｄ１,Ｄ２；ドア枠のドア枠Ｆ；下縁部L；枢軸線Ｐ；（下部）ドア枢軸装置１０；上部ドア枢軸装置１２；枢軸１４；ドアクローザ１６；支持部材１８；補強部材１８ａ；ネジ挿通孔１８ｂ；球面状凹面１８ｃ；凹部１８ｄ；球面状部分１８ｅ、１８ｆ；ベース部材２０；ビス２０ｃ；ベース本体２０ｄ；枢着部２０ｅ；固定部２０ｆ；固定軸受入れ孔２０ｇ；ネジ穴２０ｈ；スラストベアリング２４；ハウジング２６；中心軸２８；枢軸３０；固定軸３１；支持部材位置調節ネジ３２；ネジ頭部３２ａ；軸部３２ｂ；リング３２ｃ；ワッシャ３４；球面状凸面３４ａ；ドア枢軸装置４０；ビス４０ａ；ベース部材４２；頂板４２ａ；側板４２ｂ；支持部材４４；固定軸受入れ孔４４ａ；追加の固定軸受入れ孔４４ｂ；枢軸４６；支持部材位置調節ネジ４８；ネジ挿通孔５０；ネジ頭部４８ａ；リング５２；枢軸５４；固定軸５６；固定軸５８；凹部６０
【図１】
2018119330.tif 000003
【図２】
2018119330.tif 000004
【図３】
2018119330.tif 000005
【図４】
2018119330.tif 000006
【図５】
2018119330.tif 000007